(57)【要約】【課題】  従来の構成に蓋部を追加するだけの簡単な構成を加えるだけで、個々の空間へのダンパー材の充填量を一様にして対物レンズの変位特性を安定化させる。【解決手段】  固定側支持部材２に一端部を固定した弾性を有する線材６の他端部を、対物レンズ３１を備えた可動側レンズホルダー３に固定する。線材６は固定側支持部材２の空間７に装填したダンパー材８の層内を挿通して配備されている。空間７が溝形面７１と蓋部２１の内面２１ａとによって形作られている。蓋部２１にダンパー材充填口２２を設ける。ダンパー材充填口２２の前後幅ｃ及び上下幅ｄは、溝形空所の前後幅ａ及び上下幅ｂよりも狭い。【選択図】        図１
2005251295.tif 000002
【特許請求の範囲】
【請求項１】
固定側支持部材に一端部が固定された弾性を有する線材の他端部が、対物レンズを備えた可動側レンズホルダーに固定され、その線材が、上記固定側支持部材に具備された空間に装填されたダンパー材の層内を挿通して配備されているレンズユニットを備えた光ピックアップにおいて、
上記空間が、上記固定側支持部材の左右方向に位置する側面に形成されてその固定側支持部材の前後方向全幅に亘って延びる溝形面とその溝形面によって囲まれた溝形空所の開放箇所を塞ぐ蓋部の内面とによって形作られていると共に、上記溝形面が、上面と下面と溝底面とによって正面視コ字形又は略コ字形に形成されていて、上記蓋部が上記固定側支持部材に一体に形成され、
上記蓋部に、上記溝形空所の前後幅よりも幅狭で、かつ、その上下幅が上記溝形空所の上下幅よりも狭いダンパー材充填口が上記溝形空所の前後方向中央部で開口されていることを特徴とする光ピックアップ。
【請求項２】
固定側支持部材に一端部が固定された弾性を有する線材の他端部が、対物レンズを備えた可動側レンズホルダーに固定され、その線材が、上記固定側支持部材に具備された空間に装填されたダンパー材の層内を挿通して配備されているレンズユニットを備えた光ピックアップにおいて、
上記空間が、上記固定側支持部材の左右方向に位置する側面に形成されてその固定側支持部材の前後方向全幅に亘って延びる溝形面とその溝形面によって囲まれた溝形空所の開放箇所を塞ぐ蓋部の内面とによって形作られていると共に、上記蓋部に、上記溝形空所の前後幅よりも幅狭に形成されたダンパー材充填口が開口されていることを特徴とする光ピックアップ。
【請求項３】
上記ダンパー材充填口の上下幅が上記溝形空所の上下幅よりも狭くなっている請求項２に記載した光ピックアップ。
【請求項４】
上記溝形面が、上面と下面と溝底面とによって正面視コ字形又は略コ字形に形成されていて、上記蓋部が上記固定側支持部材に一体に形成されている請求項２に記載した光ピックアップ。
【発明の詳細な説明】
【技術分野】
【０００１】
本発明は、光ディスクドライブに搭載される光ピックアップ、詳しくは、固定側支持部材から延び出た弾性を有する線材によって、対物レンズを備える可動側レンズホルダーが片持ち状態で変位可能に支持されているレンズユニットを備えた光ピックアップに関する。
【背景技術】
【０００２】
光ディスクドライブに搭載される光ピックアップは、レーザ光を記録媒体としてのディスク面に集光させてデータの書込みや読取りを行うことに用いられ、ディスクの回転中の面振れや偏心に応じて対物レンズの位置をフォーカス方向又はトラッキング方向に調整する機能を備えている。
【０００３】
図４には従来の光ピックアップに採用されているレンズユニット１を概略で示してある。同図のレンズユニット１は、ディスクの半径方向に走行駆動される基台（不図示）に搭載されるものであって、その基台に固定される固定側支持部材２と、対物レンズ３１を備える可動側レンズホルダー３と、固定側支持部材２の後端面に固着された配線基板４と、可動側レンズホルダー３の左右方向に位置する両側面のそれぞれに固着された配線基板でなる端子板５，５と、レンズユニット１の左右両側に同一本数ずつ配備された弾性を有する導電性線材６…とを備えているほか、可動側レンズホルダー３には、フォーカス方向Ｆ又はトラッキング方向Ｔの付勢力を発揮させるための複数のコイル（不図示）などが装備されていて、上記端子板５のパターンにはそれらのコイルの末端が接続されている。また、上記した複数本の線材６…と端子板５とは、レンズユニット１の左右両側に対称に配備されていて、線材６は図例のように片側３本の場合や、図示していないけれども片側２本の場合などがある。そして、線材６の一端部６１が配線基板４のランドに半田付けされて固定され、その他端部６２が端子板５のランドに半田付けされて固定されていることによって、可動側レンズホルダー３が複数本の線材６…を介し固定側支持部材２に対して変位可能に片持ち状に支持されている。４１，５１は半田を示している。また、固定側支持部材２の左右方向に位置するそれぞれの側面の複数箇所に同一容積の空間７が具備されていて、それらの空間７に装填されたダンパー材（図４で不図示）の層内を上記線材６が挿通している。
【０００４】
図４のレンズユニット１において、配線基板４のパターンに電流を流すと、配線基板４、線材６、端子板５を経て上記コイルに通電され、そのコイルがフォーカス方向又はトラッキング方向の付勢力を発揮して可動側レンズホルダー５が対物レンズ３１と共にフォーカス方向Ｆ又はトラッキング方向Ｔに変位駆動される。
【０００５】
図５は固定側支持部材２の要部を拡大して示した正面図である。同図において、８は空間７（図４参照）に装填されたダンパー材であり、このダンパー材８の層内を上記線材６が挿通している。このダンパー材８は光硬化型や熱硬化型などのゲル状物質でなり、可動側レンズホルダー３が線材６の撓み変形を伴って変位駆動されるときの線材６の共振を抑制する作用を発揮する。
【０００６】
図４に示した個々の空間７は、図４又は図５で判るように、固定側支持部材２の前後方向全幅に亘って延びる溝形面７１、すなわち上面７２と下面７３と溝底面７４とによって正面視コ字形又は略コ字形に形成された溝形面７１によって囲まれた溝形空所によって形成されていて、その溝形空所（すなわち空間７）の全体が固定側支持部材２の側面で開放されている。そして、その開放口７５がダンパー材８を装填するための注入口として利用される。
【０００７】
一方、対物レンズ駆動装置の二軸アクチュエータを制振して共振を抑制するために、自己保持性ゲル状物質を使用したり、光硬化型や熱硬化型のゲル状物質を用いることが公知である（たとえば特許文献１参照）。また、対物レンズ駆動装置において、対物レンズホルダを支持するサスペンションをサスペンションホルダーに具備させた空間部に挿通させ、その空間部にＵＶ硬化型粘弾性部材でなるダンパー材を注入しておくこと、並びに、上記空間部を上面開放の空間部又は前後に開放した空間部によって形成することなども公知である（たとえば特許文献２参照）。さらに、光ピックアップ用対物レンズの支持構造において、対物レンズを懸架しているワイヤをダンパホルダーの凹部に挿通させ、その周囲にダンパー材を充填すること、並びに、その凹部に狭い幅のスリットを全長に亘って具備させ、そのスリットを利用して凹部にダンパー材を注入することも公知である（たとえば特許文献３参照）。
【特許文献１】特開２０００−２２２７５３号公報
【特許文献２】特開平１０−１０６０００号公報（図１、図５）
【特許文献３】特開平１１−９６５７２号公報
【発明の開示】
【発明が解決しようとする課題】
【０００８】
図４又は図５を参照して説明した従来例では、ダンパー材８を保持する空間７１が溝形空所によって形成されていて、その溝形空所の全体が固定側支持部材２の側面で開放されているので、開放口７５を広く確保できてダンパー材８を装填しやすいという利点がある反面で、同一容積のそれぞれの空間７１に一定量のダンパー材８を満たすことに困難が伴った。すなわち、ダンパー材８は作業環境の温度や作業者の体温などの影響を受けて体積が変化するものであり、しかも、開放口７５の前後幅ａ（図４参照）が溝形面７１によって固まれた溝形空所の前後幅と同一の幅を有し、かつ、その開放口７５の上下幅ｂ（図５参照）が溝形空所の上下幅と同一の幅を有してその開放口７５が広く開放されていたので、その開放口７５を利用して空間７１に充填されたダンパー材８の層表面８１が、開放口７５のところで上下方向で凹み形状に成形されたり（たとえば図５の上２つの状態）、膨らみ形状に成形されたり（たとえば図５の下の状態）し、さらには、その層表面８１が開放口７５のところで前後方向で波打ち形状に成形されたりして、個々の空間７１が一定量のダンパー材８で満たされにくくなるおそれがあった。そして、個々の空間７１でのダンパー材８の充填量に大きなばらつきが生じていると、個々の線材６に対する制振作用が一様に発揮されなくなって可動側レンズホルダー３ひいては対物レンズ３１の変位特性が低下し、そのことが光ピックアップによる読み書き性能が低下するということにつながる。
【０００９】
この点に関し、特許文献３に記載されている技術、すなわち、対物レンズを懸架しているワイヤが挿通されてダンパー材が充填されているダンパホルダーの凹部に、幅狭のスリットを全長に亘って具備させるという技術によると、スリットの上下幅を凹部の上下幅に比べて狭く定めておくことによってダンパー材の層表面の上下方向での形状の不均一化が抑制されるので、その点に限っていえば凹部でのダンパー材の充填量が一様化されると推定される。しかしながら、上記スリットの前後幅が、凹部の前後幅と同一の広さになっているので、ダンパー材の層表面の前後方向での形状の不均一化は抑制されず、その層表面が前後方向で波打ち形状に成形されて充填量のばらつきを増大させる原因になるということが云える。そして、ダンパー材の層表面が前後方向で波打ち形状に成形されることに起因する充填量のばらつきによっても対物レンズの変位特性が低下して光ピックアップによる読み書き性能が低下するということが判っている。また、スリットの前後幅が、凹部の前後幅と同一の広さになっていることにより、そのスリットの前後方向の１点（１箇所）からダンパー材を注入した場合に、凹部に注入されたダンパー材がスリットの他の箇所から漏れ出してきたりするという不都合を生じるおそれもあることが判っている。
【００１０】
本発明は以上の状況に鑑みてなされたものであり、図４又は図５で説明した構成を基本とし、その構成に改良を加えることによって、個々の空間７へのダンパー材８の充填量が一様になり、しかも、充填に際してダンパー材がその充填箇所やその近傍箇所から漏れ出してきたりするおそれのないレンズユニットを備えた光ピックアップを提供することを目的とする。
【課題を解決するための手段】
【００１１】
本発明に係る光ピックアップは、固定側支持部材に一端部が固定された弾性を有する線材の他端部が、対物レンズを備えた可動側レンズホルダーに固定され、その線材が、上記固定側支持部材に具備された空間に装填されたダンパー材の層内を挿通して配備されているレンズユニットを備えている。そして、上記空間が、上記固定側支持部材の左右方向に位置する側面に形成されてその固定側支持部材の前後方向全幅に亘って延びる溝形面とその溝形面によって囲まれた溝形空所の開放箇所を塞ぐ蓋部の内面とによって形作られていると共に、上記蓋部に、上記溝形空所の前後幅よりも幅狭に形成されたダンパー材充填口が開口されている。
【００１２】
この構成であれば、ダンパー材の装填される空間が、ダンパー材充填口の形成箇所だけで固定側支持部材の側面で開放していて、しかも、ダンパー材充填口は、上記空間を形成している溝形空所の前後幅よりも幅狭に形成されているので、ダンパー材充填口からダンパー材を充填した場合に、ダンパー材の層表面が前後方向で波打ち形状に成形されるおそれが極端に少なくなる。そのため、個々の空間でのダンパー材の充填量が一様になる。また、ダンパー材充填口が幅狭であるために、充填に際してダンパー材がその充填箇所やその近傍箇所から漏れ出してきたりするおそれもない。なお、一般的な光ピックアップのレンズユニットにおいて、固定側支持部材に具備される上記空間の上下幅は非常に短いものであるので、ダンパー材の層表面が前後幅の狭い上記充填口のところで上下方向で凹み形状又は膨らみ形状に成形されたとしても、それによって個々の空間でのダンパー材の充填量に大きなばらつきが生じるという事態は起こりにくい。
【００１３】
本発明では、上記ダンパー材充填口の上下幅が上記溝形空所の上下幅よりも狭くなっていることが望ましく、これによれば、ダンパー材の層表面が前後幅の狭い上記充填口のところで上下方向で凹み形状又は膨らみ形状に成形されても、それによって個々の空間でのダンパー材の充填量に大きなばらつきが生じるという事態が起こらない。
【００１４】
本発明では、上記溝形面が、上面と下面と溝底面とによって正面視コ字形又は略コ字形に形成されていて、上記蓋部が上記固定側支持部材に一体に形成されていることが望ましい。これによれば、蓋部を別部品とする必要がないので、部品点数を増加させずに個々の空間でのダンパー材の充填量を一様にすることができる。
【００１５】
本発明に係る光ピックアップは、固定側支持部材に一端部が固定された弾性を有する線材の他端部が、対物レンズを備えた可動側レンズホルダーに固定され、その線材が、上記固定側支持部材に具備された空間に装填されたダンパー材の層内を挿通して配備されているレンズユニットを備えた光ピックアップにおいて、  上記空間が、上記固定側支持部材の左右方向に位置する側面に形成されてその固定側支持部材の前後方向全幅に亘って延びる溝形面とその溝形面によって囲まれた溝形空所の開放箇所を塞ぐ蓋部の内面とによって形作られていると共に、上記溝形面が、上面と下面と溝底面とによって正面視コ字形又は略コ字形に形成されていて、上記蓋部が上記固定側支持部材に一体に形成され、上記蓋部に、上記溝形空所の前後幅よりも幅狭で、かつ、その上下幅が上記溝形空所の上下幅よりも狭いダンパー材充填口が上記溝形空所の前後方向中央部で開口されている、という構成を採用することによっていっそう具体化される。この発明の作用は後述する実施形態を参照して詳細に説明する。
【発明の効果】
【００１６】
本発明によれば、図４又は図５で説明した構成を基本構成として、それに蓋部を追加するだけの簡単な構成を加えるだけで、個々の空間へのダンパー材の充填量を一様にすることができる。そのため、個々の空間でのダンパー材の充填量のばらつきに起因する対物レンズの変位特性の低下や、そのことによる光ピックアップによる読み書き性能の低下が起こらなくなるという効果が奏される。
【発明を実施するための最良の形態】
【００１７】
図１は本発明に係る光ピックアップに採用されるレンズユニット１の概略斜視図、図２は固定側支持部材２の要部を拡大して示した一部破断正面図、図３は固定側支持部材２の要部を拡大して示した概略斜視図である。
【００１８】
図１のレンズユニット１において、図４で説明したレンズユニット１と異なる点は、固定側支持部材２に蓋部２１を一体に形成してあり、かつ、その蓋部２１に小さなダンパー材充填口２２を具備させてある点である。その他の事項、たとえば、レンズユニット１の固定側支持部材２が、ディスクの半径方向に走行駆動される基台（不図示）に固定される点、可動側レンズホルダー３にフォーカス方向Ｆ又はトラッキング方向Ｔの付勢力を発揮させるための複数のコイル（不図示）などが装備され、上記端子板５のパターンにそれらのコイルの末端が接続されている点、などは図４で説明したところと同様である。したがって、図１のレンズユニット１において、配線基板４のパターンに電流を流すと、配線基板４、複数本の線材６…、端子板５，５を経て上記コイルに通電されてコイルがフォーカス方向Ｆ又はトラッキング方向Ｔの付勢力を発揮し、それによって可動側レンズホルダー５が対物レンズ３１と共に線材６…の変位を伴ってフォーカス方向Ｆ又はトラッキング方向Ｔに変位駆動される。
【００１９】
この実施形態において、固定側支持部材２の左右方向に位置する両側面のそれぞれに形成されている空間７は、図２に示した固定側支持部材２の前後方向全幅に亘って延びる溝形面７１とその溝形面７１によって囲まれた溝形空所の開放箇所を塞ぐ上記蓋部２１の内面２１ａとによって形作られていて、溝形面７１は、上面７２と下面７３と溝底面７４とによって正面視コ字形又は略コ字形に形成されている。この点は図４で説明したところと同様である。
【００２０】
図３で判るように、ダンパー材充填口２２は、その前後幅ｃが、溝形面７１によって囲まれた溝形空所の前後幅ａよりも幅狭であり、しかも、その上下幅ｄが溝形空所の上下幅ｂよりも狭くなっていて、溝形空所の前後方向中央部で開口されている。なお、ダンパー材充填口２２は、溝形空所に連通する範囲でできるだけ上部に形成されていることが望ましい。
【００２１】
この実施形態によれば、個々の空間７が、ダンパー材充填口２２の形成箇所だけで固定側支持部材２の側面で開放していて、しかも、そのダンパー材充填口２２の前後幅ｃや上下幅ｄが、空間７を形成している溝形空所の前後幅ａや上下幅ｂよりも幅狭に形成されているので、ダンパー材充填口２２の大きさが小さい。そのため、ダンパー材充填口２２からダンパー材８を充填した場合に、ダンパー材８の層表面８１が前後方向で波打ち形状に成形されたり、上下方向で凹み形状や膨らみ形状に形成されたりするおそれが極端に少なって個々の空間７でのダンパー材８の充填量が一様になるだけでなく、充填に際してダンパー材８がそのダンパー材充填口２２から漏れ出すおそれもない。
【００２２】
この実施形態では、ダンパー材充填口２２を矩形ないし方形に形成しているけれども、この点は、ダンパー材充填口２２を円形に形成してもよい。また、ダンパー材充填口２２を、溝形空所に連通する範囲でできるだけ上部に形成しておくと、ダンパー材充填口２２から充填したダンパー材８が空間７の全体に一様に回り込みやすくなるという利点がある。
【図面の簡単な説明】
【００２３】
【図１】本発明に係る光ピックアップに採用されるレンズユニットの概略斜視図である。
【図２】固定側支持部材の要部を拡大して示した一部破断正面図である。
【図３】固定側支持部材の要部を拡大して示した概略斜視図である。
【図４】従来の光ピックアップに採用されているレンズユニットの概略斜視図である。
【図５】図４の固定側支持部材の要部を拡大して示した正面図である。
【符号の説明】
【００２４】
１  レンズユニット
２  固定側支持部材
３  可動側レンズホルダー
７  空間
８  ダンパー材
２１  蓋部
２１ａ  蓋部の内面
２２  ダンパー材充填口
３１  対物レンズ
６１  線材の一端部
６２  線材の他端部
７１  溝形面
７２  上面
７３  下面
７４  溝底面
ａ  溝形空所の前後幅
ｃ  ダンパー材充填口の前後幅
ｄ  ダンパー材充填口の上下幅
ｂ  溝形空所の上下幅
【図１】
2005251295.tif 000003
【図２】
2005251295.tif 000004
【図３】
2005251295.tif 000005
【図４】
2005251295.tif 000006
【図５】
2005251295.tif 000007